(57)【特許請求の範囲】
【請求項１】
試料を収容する第１試料容器と、
前記第１試料容器より長さが短い、試料を収容する第２試料容器と、
前記第１試料容器及び前記第２試料容器を保持する保持部材であって、前記第１試料容器が装着された場合に前記第１試料容器の底面を保持し、前記第２試料容器が装着された場合に前記第２試料容器の底面を保持しない保持部材と、
前記保持部材に保持されている前記第１試料容器に光を照射して、前記第１試料容器を検出する第１検出手段と、
前記保持部材に保持されている前記第１試料容器又は前記第２試料容器に光を照射して、前記第１試料容器又は前記第２試料容器を検出する第２検出手段と、
を備える生化学分析装置に用いられ、前記第２試料容器が装着されるとともに、前記第２試料容器が装着された状態で前記保持部材に鉛直方向から装着されて前記保持部材に底面を保持されるアダプタであって、
前記保持部材に形成された凹部に係合し、前記アダプタが前記保持部材に対して回転することを規制する突出部と、
前記突出部の鉛直方向の下部に形成され、前記第１検出手段から出射された光を通過させるための第１開口部と、
水平方向において前記第１開口部と対向した位置に形成され、前記第１検出手段から出射された光を通過させるための第２開口部と、
を備え、
前記第１開口部は前記アダプタの側面から前記アダプタの底面まで延びるように形成されており、前記第２開口部は前記アダプタの側面内に形成されていることを特徴とするアダプタ。
【請求項２】
前記第１開口部の開口面積は、前記第２開口部の開口面積よりも広いことを特徴とする請求項１に記載のアダプタ。
【請求項３】
前記アダプタの表面には、ローレット加工が施されていることを特徴とする請求項１又は２に記載のアダプタ。
【請求項４】
試料を収容する第１試料容器と、
前記第１試料容器より長さが短い、試料を収容する第２試料容器と、
前記第１試料容器及び前記第２試料容器を保持する保持部材であって、前記第１試料容器が装着された場合に前記第１試料容器の底面を保持し、前記第２試料容器が装着された場合に前記第２試料容器の底面を保持しない保持部材と、
前記保持部材に形成され、水平方向に凹む凹部と、
前記保持部材に保持されている前記第１試料容器に光を照射して、前記第１試料容器を検出する第１検出手段と、
前記第２試料容器が装着されるとともに、前記第２試料容器が装着された状態で前記保持部材に鉛直方向から装着されて、前記保持部材に底面を保持される請求項１乃至３のいずれか１項に記載のアダプタであって、前記アダプタの前記突出部が前記保持部材の前記凹部に係合することにより前記保持部材に対して回転することが規制されるアダプタと、
前記保持部材に保持されている前記第１試料容器、前記第２試料容器、又は前記アダプタに光を照射して、前記第１試料容器、前記第２試料容器、又は前記アダプタを検出する第２検出手段と、
を備えることを特徴とする生化学分析装置。
【請求項５】
前記第１試料容器又は前記第２試料容器に進入し、前記第１試料容器又は前記第２試料容器に収容された試料を吸引する吸引部材と、
前記第１検出手段と前記第２検出手段の検出結果に基づいて、前記保持部材に前記第１試料容器と前記第２試料容器のいずれが保持されているかを判定し、前記保持部材に前記第２試料容器が保持されていると判定する場合、前記第１試料容器が保持されていると判定する場合よりも前記吸引部材の進入量が小さくなるように、前記吸引部材を制御する制御手段と、
を備えることを特徴とする請求項４に記載の生化学分析装置。
【請求項６】
前記第１試料容器又は前記アダプタに光を照射して、前記第１試料容器又は前記アダプタを検出する第３検出手段をさらに備えることを特徴とする請求項４又は５に記載の生化学分析装置。
【請求項７】
前記アダプタ又は前記第１試料容器に貼り付けられたバーコードを読み取るバーコードリーダと、
前記第１検出手段、前記第２検出手段、及び前記第３検出手段の検出結果に基づいて、前記保持部材に前記第１試料容器、前記第２試料容器、前記アダプタのいずれが保持されているかを判定し、前記第１試料容器又は前記アダプタが保持されていると判定する場合に前記バーコードリーダがバーコードを読み取る状態とし、前記第２試料容器が保持されていると判定する場合に前記バーコードリーダがバーコードを読み取らない状態となるように、前記バーコードリーダを切り替える制御手段と、
を備えることを特徴とする請求項６に記載の生化学分析装置。
【発明の詳細な説明】
【技術分野】
【０００１】
本発明は、血液や尿等の生体試料（以下、「検体試料」という）の成分を分析する生化学分析装置に用いられるアダプタに関する。
【背景技術】
【０００２】
生化学分析装置においては、試料容器をトレイに装着して保持させた上でキャリブレーションや成分分析などの各種のオペレーションを行う。試料容器としては、採血管等の通常の試料容器の他に、微量の検体試料や装置のキャリブレーションに用いられるキャリブレーション試料等を収容するために、長さが短い小型の試料容器を用いる場合がある。
【０００３】
小型の試料容器をトレイに保持させる場合、試料容器をトレイに直接的に保持させる態様と、小型の試料容器よりも長さが長いアダプタを介して試料容器をトレイに保持させる態様がある。このようにアダプタを用いることで、検体情報が格納されたバーコード等の識別情報を貼り付けるためのスペースを得ることができる。
【０００４】
ここで小型サイズの試料容器を使用する場合、通常サイズの試料容器と小型サイズの試料容器を判別して使用するのが望ましい。これにより例えば検体試料を吸引・排出するプローブが試料容器に進入する際の進入量の限界値を適正に設定することができ、プローブと試料容器とが干渉して両者が破損することを抑制することができる。これに関して特許文献１では、光電センサを用いて、通常サイズの試料容器と小型サイズの試料容器とを判別する構成が記載されている。
【先行技術文献】
【特許文献】
【０００５】
【特許文献１】国際公開第２０１６／０１７２９１号
【発明の概要】
【発明が解決しようとする課題】
【０００６】
特許文献１に記載の構成では、光電センサから通常サイズの試料容器に照射される光がアダプタに遮られることを防ぐために、通常サイズの試料容器の長さよりもアダプタの長さを短くしている。しかしながら、このような構成では、アダプタの底面をトレイに保持させることができないためアダプタが安定的に保持されず、トレイに対するアダプタの位置がずれて上述したオペレーションに支障をきたすおそれがある。
【０００７】
そこで本発明はこのような現状に鑑みてなされたものであり、生化学分析装置に安定的に保持されるとともに、生化学分析装置による試料容器の種類の判別を可能とするアダプタを提供することを目的とする。
【課題を解決するための手段】
【０００８】
上記目的を達成するための本発明に係るアダプタの代表的な構成は、試料を収容する第１試料容器と、前記第１試料容器より長さが短い、試料を収容する第２試料容器と、前記第１試料容器及び前記第２試料容器を保持する保持部材であって、前記第１試料容器が装着された場合に前記第１試料容器の底面を保持し、前記第２試料容器が装着された場合に前記第２試料容器の底面を保持しない保持部材と、前記保持部材に保持されている前記第１試料容器に光を照射して、前記第１試料容器を検出する第１検出手段と、前記保持部材に保持されている前記第１試料容器又は前記第２試料容器に光を照射して、前記第１試料容器又は前記第２試料容器を検出する第２検出手段と、を備える生化学分析装置に用いられ、前記第２試料容器が装着されるとともに、前記第２試料容器が装着された状態で前記保持部材に鉛直方向から装着されて前記保持部材に底面を保持されるアダプタであって、前記保持部材に形成された凹部に係合し、前記アダプタが前記保持部材に対して回転することを規制する突出部と、前記突出部の鉛直方向の下部に形成され、前記第１検出手段から出射された光を通過させるための第１開口部と、水平方向において前記第１開口部と対向した位置に形成され、前記第１検出手段から出射された光を通過させるための第２開口部と、を備え、前記第１開口部は前記アダプタの側面から前記アダプタの底面まで延びるように形成されており、前記第２開口部は前記アダプタの側面内に形成されていることを特徴とする。
【発明の効果】
【０００９】
本発明によれば、アダプタにおいて、生化学分析装置に安定的に保持されるとともに、試料容器の種類の判別を可能とすることができる。
【図面の簡単な説明】
【００１０】
【図１】生化学分析装置の概略図である。
【図２】微量カップとアダプタの斜視図と断面図である。
【図３】アダプタの正面図、側面図、背面図、平面図、底面図である。
【図４】アダプタの断面図と斜視図である。
【図５】生化学分析装置におけるサンプルトレイの周囲の断面図である。
【図６】生化学分析装置におけるサンプルトレイの周囲の断面図である。
【発明を実施するための形態】
【００１１】
＜生化学分析装置＞
以下、まず本発明に係るアダプタを備える生化学分析装置の全体構成を、検体試料の分析動作とともに図面を参照しながら説明する。なお、本実施形態に記載されている構成部品の寸法、材質、形状、その相対配置などは、特に特定的な記載がない限りは、この発明の範囲をそれらのみに限定する趣旨のものではない。
【００１２】
図１は、生化学分析装置１０の概略図である。図１に示す様に、生化学分析装置１０は、ユーザが操作を行うことで各種の設定を行うタッチパネル方式の操作部１３と、光源１７と、光度計１８を備える。
【００１３】
また生化学分析装置１０は、試薬ボトル７を保持する試薬トレイ１５と、試薬トレイ１５に収容されている試薬を吸引・吐出する試薬プローブ２と、試薬プローブ２を保持する試薬アーム３を備える。試薬ボトル７には、分析対象に対応する試薬が収容される。試薬アーム３の支持部３ａは、回転自在に支持されており、且つ、上下動可能に構成されている。試薬アーム３の先端に取り付けられた試薬プローブ２は、試薬アーム３の動作に伴って回転や上下動を行う。試薬プローブ２は、試薬アーム３の内部から生化学分析装置１０の内部まで延びる配管（不図示）を介してポンプ（不図示）と連結されている。試薬プローブ２は、ポンプの加圧・減圧動作に伴って、試薬ボトル７内の試薬の吸引・吐出する。
【００１４】
また生化学分析装置１０は、サンプル容器９を保持するサンプルトレイ８（保持部材）と、サンプル容器９内の検体試料を吸引・吐出するサンプルプローブ１１（吸引部材）と、サンプルプローブ１１を保持するサンプルアーム１２を備える。サンプル容器９には、血液等の検体試料が収容される。サンプルアーム１２の支持部１２ａは、回転自在に支持されており、且つ、上下動可能に構成されている。サンプルアーム１２の先端に取り付けられたサンプルプローブ１１は、サンプルアーム１２の動作に伴って回転や上下動する。サンプルプローブ１１は、サンプルアーム１２の内部から生化学分析装置１０の内部まで延びる配管（不図示）を介してポンプ（不図示）と連結されている。サンプルプローブ１１は、ポンプの加圧・減圧動作に伴って、サンプル容器９内の検体試料の吸引・吐出する。
【００１５】
また生化学分析装置１０は、サンプル容器９に収容された検体試料と、試薬ボトル７に収容された試薬が分注される反応セル５と、反応セル５を保持する反応トレイ４と、反応セル５に分注された検体試料と試薬の混合物を撹拌する撹拌ユニット６を備える。また反応セル５を洗浄する不図示の洗浄ユニットを備える。
【００１６】
次に、生化学分析装置１０による検体試料の分析動作について説明する。まずユーザが操作部１３を操作して、検体試料の分析項目等を設定する。この設定情報は、制御部６０（図５）に入力される。
【００１７】
次に、サンプルトレイ８が回転し、これに伴ってサンプル容器９が吸引位置へと移送される。その後、サンプルアーム１２が駆動することで、吸引位置にあるサンプル容器９の内部にサンプルプローブ１１が上方から降下して進入し、サンプルプローブ１１によって所定量の検体試料が吸引される。
【００１８】
次に、サンプルアーム１２の駆動によってサンプルプローブ１１が反応トレイ４に保持された反応セル５の上方の位置に移動する。その後、サンプルプローブ１１は下降して反応セル５の内部に進入し、サンプル容器９から吸引した検体試料を反応セル５の内部に吐出して分注を行う。
【００１９】
またサンプルプローブ１１による検体試料の分注動作が行われている間に、試薬プローブ２においても同様の動作が行われる。即ち、試薬トレイ１５が回転し、これに伴って試薬ボトル７が吸引位置へと移送される。次に、試薬アーム３が駆動することで、吸引位置に位置する試薬ボトル７の内部に試薬プローブ２が進入し、試薬プローブ２によって所定量の試薬が吸引される。
【００２０】
次に、反応トレイ４が回転し、検体試料が分注された反応セル５が所定の位置に移動する。また試薬アーム３の駆動によって試薬プローブ２が反応セル５の上方の位置に移動する。その後、試薬プローブ２は下降して反応セル５の内部に進入し、試薬ボトル７から吸引した試薬を反応セル５の内部に吐出して分注を行う。
【００２１】
次に、反応セル５に分注された検体試料と試薬の混合物は、撹拌ユニット６により撹拌される。その後、反応トレイ４が回転し、この回転に伴って反応セル５が光源１７から出射された光束を横切ることで、反応セル５内の混合物の吸光度が光度計１８により計測されて電気信号として出力される。光度計１８から出力された電気信号は、不図示のＡ／Ｄ変換器を経由して制御部６０に入力される。その後、制御部６０は、入力された電気信号に基づいて分析項目を算出し、分析結果を操作部１３に表示させる。
【００２２】
＜アダプタ＞
次に、サンプル容器９と共に使用されるアダプタ１の構成について説明する。
【００２３】
本実施形態に係る生化学分析装置１０は、検体試料として血液や血液から分離された血清等を想定しており、サンプル容器９として採血管９ａと微量カップ９ｂの二種類の容器が使用される（図６参照）。微量カップ９ｂは、採血管９ａよりも長さが短い容器であり、採血管９ａよりも容積が小さく、例えば子供などの身体が小さい生物から採取された少量の検体試料の分析に用いられる容器である。
【００２４】
採血管９ａには、検体試料を提供する者の名前、性別、年齢、採血日等の識別情報が格納された不図示のバーコードラベルが貼り付けられる。バーコードラベルは、生化学分析装置１０に設けられたバーコードリーダ５５（図５）によって読み取られる。これに対して微量カップ９ｂは、採血管９ａよりもサイズが小さいため、バーコードラベルを貼り付けるためのスペースが無く、バーコードラベルは貼り付けられない。
【００２５】
そこでバーコードラベルの貼り付けスペースを確保するためにアダプタ１を用いる。図２（ａ）は、微量カップ９ｂとアダプタ１の斜視図である。図２（ｂ）は、微量カップ９ｂとアダプタ１を図２（ａ）に示すＸ−Ｘ断面で切断した断面図である。図３は、アダプタ１の構成を示す図であり、図３（ａ）は正面図、図３（ｂ）は側面図、図３（ｃ）は背面図、図３（ｄ）は平面図、図３（ｅ）は底面図である。図４（ａ）は、アダプタ１の断面図である。図４（ｂ）は、アダプタ１の斜視図である。
【００２６】
図２、図３、図４に示す様に、アダプタ１は、微量カップ９ｂよりも長く、採血管９ａと同等の長さの筒状の部材であり、その内部には微量カップ９ｂが収容される。微量カップ９ｂは、アダプタ１を介して、サンプルトレイ８に保持される。なお、微量カップ９ｂは、サンプルトレイ８に直接的に装着することも可能である。つまり微量カップ９ｂは、サンプルトレイ８に対して直接装着される態様と、アダプタ１を介して装着される態様の二つの態様で使用される。
【００２７】
このようにアダプタ１を用いることで、アダプタ１の表面にバーコードラベルを貼り付けることができる。またアダプタ１の表面には、ローレット加工が施されており、ローレット部１ｂが形成されている。このローレット部１ｂにバーコードラベルを貼り付けることで、バーコードラベルとアダプタ１との接地面積が小さくなるため、バーコードラベルを剥がすのが容易となる。従って、バーコードラベルの貼り付け、取り剥がしを繰り返し行いやすくなり、アダプタ１を再利用しやすくなる。
【００２８】
またサンプルトレイ８は、サンプル容器９やアダプタ１が装着されて保持する樹脂バネで形成された装着部８ａと、サンプル容器９の底面やアダプタ１の底面を保持する底受部８ｃを有する。アダプタ１がサンプルトレイ８の装着部８ａに装着されると、アダプタ１の底面はサンプルトレイ８の底受部８ｃに接触して保持される。同様に、採血管９ａがサンプルトレイ８に装着されると、採血管９ａの底面はサンプルトレイ８の底受部８ｃに接触して保持される。このようにサンプルトレイ８によってアダプタ１の底面や採血管９ａの底面を保持することで、アダプタ１や採血管９ａが安定的に保持される。従って、サンプルトレイ８に対するアダプタ１や採血管９ａの位置がずれて上述した分析動作等のオペレーションに支障をきたすことを抑制することができる。
【００２９】
またアダプタ１の側面には、その肉厚方向（径方向）に突出する突出部１ａ（係合部）が形成されている。またサンプルトレイ８の装着部８ａの近傍には、凹部８ｂ（被係合部）が形成されている。アダプタ１がサンプルトレイ８に装着される際、アダプタ１の突出部１ａは、サンプルトレイ８の凹部８ｂに係合する。これによりアダプタ１がサンプルトレイ８に対して回転することが規制される。従って、アダプタ１が回転してバーコードラベルが隠れ、バーコードリーダ５５によってバーコードが読み取れなくなることを抑制することができる。
【００３０】
またアダプタ１には、アダプタ１の肉厚方向に貫通する二つの貫通孔１ｃ、１ｄが形成されている。貫通孔１ｃ、１ｄは、後述するように、サンプルトレイ８に装着されているサンプル容器９の判別に用いられる光電センサ５３の光Ｌが通過するための通過部である。貫通孔１ｃ、１ｄは、水平方向において互いに対向する位置に配置されており、水平方向に照射された光が貫通孔１ｃ、１ｄを通過できるようになっている。
【００３１】
ここで突出部１ａの鉛直方向の下方に位置する貫通孔１ｄは、アダプタ１の側面から底面まで延びている。これに対してサンプルトレイ８に装着された際に装着部８ａの鉛直方向の下方に位置する貫通孔１ｃは、アダプタ１の側面に留まっている。これにより貫通孔１ｄの開口面積を広くしてアダプタ１の軽量化や材料の削減を図るとともに、アダプタ１がサンプルトレイ８に対して鉛直方向から挿抜して着脱される際に、貫通孔１ｃが装着部８ａに引っ掛かって着脱しにくくなることを抑制することができる。
【００３２】
＜サンプル容器の判別方法＞
次に、サンプルトレイ８に保持されたサンプル容器９の判別方法について説明する。
【００３３】
図５は、生化学分析装置１０におけるサンプルトレイ８の周囲の断面図である。図５に示す様に、サンプルトレイ８の周囲には、三つの光電センサ５１、５２、５３が、サンプル容器９の長さ方向（長手方向）である鉛直方向に並んで配置されている。光電センサ５１、５２、５３は、発光素子と受光素子が同一面上に配置され、発光素子から物体に光Ｌを照射し、反射光を受光素子で受光して物体を検出する反射型のフォトインタラプタである。なお、透過型のフォトインタラプタを用いてもよい。
【００３４】
光電センサ５１、５２、５３は、ＣＰＵ６１、ＲＯＭ６２、ＲＡＭ６３を備える制御部６０に接続されている。サンプルアーム１２を駆動させる駆動モータ５４や、バーコードリーダ５５も制御部６０に接続されている。制御部６０は、ＣＰＵ６１が、ＲＯＭ６２に格納された制御プログラムに基づいてＲＡＭ６３を作業領域に用いながら演算処理を行って各種デバイスを制御する。
【００３５】
光電センサ５１（第２検出手段）は、採血管９ａ、微量カップ９ｂ、又はアダプタ１に光Ｌを照射してこれらを検出し、制御部６０にＯＮ信号を電気信号として伝送する。光電センサ５２（第３検出手段）は、採血管９ａ又はアダプタ１に光Ｌを照射してこれらを検出し、制御部６０にＯＮ信号を電気信号として伝送する。光電センサ５３（第１検出手段）は、採血管９ａに光Ｌを照射して採血管９ａを検出し、制御部６０にＯＮ信号を電気信号として伝送する。制御部６０は、光電センサ５１、５２、５３の検出結果に基づいて、駆動モータ５４やバーコードリーダ５５を制御する。制御の詳細については後述する。
【００３６】
次に、サンプルトレイ８に装着されたサンプル容器９の種類を判別する具体的な制御について説明する。図６は、サンプルトレイ８の周囲の断面図である。ここで図６（ａ）は、採血管９ａが装着されている様子を示し、図６（ｂ）は、微量カップ９ｂが装着されている様子を示し、図６（ｃ）は、微量カップ９ｂが装着された状態のアダプタ１が装着されている様子を示す。
【００３７】
図６（ａ）に示す様に、採血管９ａがサンプルトレイ８に装着されている場合、光電センサ５１、５２、５３から出射された光Ｌは、採血管９ａに照射され、採血管９ａに反射される。これにより光電センサ５１、５２、５３から制御部６０に対してそれぞれＯＮ信号が伝送される。即ち、光電センサ５１がＯＮ、光電センサ５２がＯＮ、光電センサ５３がＯＮの場合、制御部６０はサンプルトレイ８に採血管９ａが装着されていると判定する。
【００３８】
図６（ｂ）に示す様に、微量カップ９ｂがサンプルトレイ８に装着されている場合、光電センサ５１から出射された光Ｌは、微量カップ９ｂに照射され、微量カップ９ｂに反射される。これにより光電センサ５１から制御部６０に対してＯＮ信号が伝送される。これに対して、微量カップ９ｂは長さが短く、光電センサ５２、５３から出射された光Ｌは微量カップ９ｂに当たらないため、光電センサ５２、５３はＯＦＦのままとなる。即ち、光電センサ５１がＯＮ、光電センサ５２がＯＦＦ、光電センサ５３がＯＦＦの場合、制御部６０はサンプルトレイ８に微量カップ９ｂが装着されていると判定する。
【００３９】
図６（ｃ）に示す様に、微量カップ９ｂが装着された状態のアダプタ１がサンプルトレイ８に装着されている場合、光電センサ５１、５２から出射された光Ｌは、アダプタ１に照射され、アダプタ１に反射される。これにより光電センサ５１、５２から制御部６０に対してＯＮ信号が伝送される。一方、光電センサ５３から出射された光Ｌは、アダプタ１に形成された貫通孔１ｃ、１ｄを通過し、アダプタ１に当たらない。このため、光電センサ５３はＯＦＦのままとなる。即ち、光電センサ５１がＯＮ、光電センサ５２がＯＮ、光電センサ５３がＯＦＦの場合、制御部６０はサンプルトレイ８に微量カップ９ｂが装着された状態のアダプタ１が装着されていると判定する。
【００４０】
また制御部６０は、光電センサ５１がＯＦＦ、光電センサ５２がＯＦＦ、光電センサ５３がＯＦＦの場合、サンプルトレイ８に何も装着されていないと判定する。このように制御部６０は、サンプルトレイ８に装着されているサンプル容器９の種類やアダプタ１の有無を判別する。
【００４１】
なお、本実施形態では、サンプル容器９の装着位置の増やすために、サンプルトレイ８の回転方向の二周に亘って装着部８ａや底受部８ｃが形成されている。ここでサンプルトレイ８の外周部側に形成された装着部８ａに装着されるサンプル容器９の種類は、上述した光電センサ５１、５２、５３を用いて判別される。サンプルトレイ８の外周部側に形成された装着部８ａに装着されるサンプル容器９の種類は、サンプルトレイ８の回転中心である支軸部８ｄの近傍に設けられた不図示の三つの光電センサを用いて同様に判別される。
【００４２】
また制御部６０は、上述した判別結果に基づいて次の制御を行う。即ち制御部６０は、サンプルトレイ８に微量カップ９ｂが装着されていると判定する場合、採血管９ａが装着されていると判定する場合よりも、サンプルプローブ１１の進入量を小さくするように駆動モータ５４を制御する。具体的には、制御部６０は、サンプルプローブ１１を介して検体試料の液面を検出し、液面を検出した後のサンプルプローブ１１の移動量を上述したように制御する。なお、ここでいうサンプルトレイ８に微量カップ９ｂが装着されている場合には、微量カップ９ｂが装着された状態のアダプタ１が装着されている場合も含まれる。このような制御により、サンプルプローブ１１が微量カップ９ｂに進入する際に、微量カップ９ｂの底にサンプルプローブ１１が干渉して両者が破損することを抑制することができる。
【００４３】
また制御部６０は、サンプルトレイ８に採血管９ａ、又は、微量カップ９ｂが装着された状態のアダプタ１が装着されていると判定する場合、バーコードリーダ５５がバーコードを読み取る状態にする。一方、制御部６０は、サンプルトレイ８に微量カップ９ｂが装着されていると判定する場合、バーコードリーダ５５がバーコードを読み取らない状態にする。このようにバーコードラベルが貼り付けられていないと想定される状況でバーコードリーダ５５をＯＦＦに切り替えることで、消費電力を削減することができる。
【００４４】
なお、本実施形態では、検体試料として血液や血清を想定し、サンプル容器９として採血管９ａを用いたものの、本発明はこれに限られるものではない。即ち、例えば検出試料として尿を想定し、サンプル容器９として採血管９ａの代わりに採尿容器を用いる構成であっても、上記同様の効果を得ることができる。
【００４５】
また本実施形態では、採血管９ａをサンプルトレイ８に直接的に装着する構成について説明したものの、本発明はこれに限られるものではない。即ち、アダプタ１に対して採血管９ａを装着可能な構成とし、アダプタ１を介して採血管９ａをサンプルトレイ８に装着する構成としても、上記同様の効果を得ることができる。
【００４６】
また本実施形態では、検体試料の識別情報をバーコードから読み取る構成について説明したものの、本発明はこれに限られるものではない。即ち、例えば採血管９ａやアダプタ１にＱＲコードラベルを貼り付けて、ＱＲコード（登録商標）をＱＲコードリーダによって読み取る構成など、他の方法によって検体試料の識別情報を読み取る構成としてもよい。
【００４７】
また本実施形態では、アダプタ１において、光電センサ５３の光Ｌが通過するための通過部として二つの貫通孔１ｃ、１ｄを形成する構成について説明した。しかし本発明はこれに限られず、例えば通過部としてガラス板により透明部分を設け、この透明部分を光電センサ５３の光Ｌが透過する構成としても上記同様の効果を得ることができる。
【符号の説明】
【００４８】
１…アダプタ
１ａ…突出部（係合部）
１ｃ、１ｄ…貫通孔（通過部）
８…サンプルトレイ（保持部材）
８ｂ…凹部（被係合部）
９ａ…採血管（第１試料容器）
９ｂ…微量カップ（第２試料容器）
１０…生化学分析装置
１１…サンプルプローブ（吸引部材）
５１…光電センサ（第２検出手段）
５２…光電センサ（第３検出手段）
５３…光電センサ（第１検出手段）
５５…バーコードリーダ
６０…制御部（制御手段）
【図１】
0006875465.tif 000002
【図２】
0006875465.tif 000003
【図３】
0006875465.tif 000004
【図４】
0006875465.tif 000005
【図５】
0006875465.tif 000006
【図６】
0006875465.tif 000007